(57)【要約】【課題】照明システムにおいて、照明光の煩わしい調整作業を不要とし、作業者に拘らず、同じ商品に対して同じ照明効果を得る。【解決手段】照明システム１は、照明器具２と、商品Ｇに取り付けられ、商品Ｇの色・素材情報が記録された情報タグ３と、この色・素材情報を検知する設定リモコン４とを備える。照明器具２の点灯制御部及び駆動部は、設定リモコン４により検知された色・素材情報に基づいて照明光の光色及び配光を変更させる。このため、設定リモコン４に情報タグ３から色・素材情報を検知させるだけで、照明光の調整が可能になる。従って、煩わしい調整作業が不要となる。また、点灯制御部及び駆動部が色・素材情報に基づいて照明光の光色及び配光を自動的に変更させるので、同じ商品Ｇに、同じ色・素材情報が記録された情報タグ３を取り付けることにより、作業者に拘らず、同じ商品Ｇに対して同じ照明効果を得ることができる。【選択図】図１
2008270089.tif 000002
【特許請求の範囲】
【請求項１】
照明器具と、前記照明器具を制御する制御手段とを備えた照明システムにおいて、
商品に取り付けられ、該商品の色情報及び／又は素材情報が予め記録された情報タグと、
前記情報タグに記録された色情報及び／又は素材情報を検知する検知手段と、
前記検知手段により検知された色情報及び／又は素材情報を前記制御手段に送信する送信手段と、を備え、
前記制御手段は、
前記送信手段から送信された色情報及び／又は素材情報を受信し、受信した色情報及び／又は素材情報に基づき、前記照明器具の光色乃至配光を制御するための制御信号を生成する演算手段と、
前記制御信号に従い、前記照明器具の光色乃至配光を変更させる光色乃至配光変更手段と、を有することを特徴とする照明システム。
【請求項２】
前記検知手段は、前記照明器具と分離して設けられていることを特徴とする請求項１に記載の照明システム。
【請求項３】
前記情報タグは、ＩＣタグであることを特徴とする請求項１又は請求項２に記載の照明システム。
【請求項４】
前記光色乃至配光変更手段は、異種の複数の光源を含むことを特徴とする請求項１乃至請求項３のいずれか一項に記載の照明システム。
【請求項５】
前記光色乃至配光変更手段は、赤色発光ダイオード、緑色発光ダイオード及び青色発光ダイオードを含むことを特徴とする請求項４に記載の照明システム。
【請求項６】
前記光色乃至配光変更手段は、形状可変の反射板を含むことを特徴とする請求項１乃至請求項５のいずれか一項に記載の照明システム。
【請求項７】
前記光色乃至配光変更手段は、前記照明器具に設けられた反射板と光源の位置関係を変更させることにより、前記照明器具の配光を変更させることを特徴とする請求項１乃至請求項５のいずれか一項に記載の照明システム。
【発明の詳細な説明】
【技術分野】
【０００１】
本発明は、照明器具と、この照明器具を制御する制御手段とを備えた照明システムであって、特に、店舗に適用され、照明器具が商品に照明光を照射する照明システムに関する。
【背景技術】
【０００２】
従来から、物販店等の店舗では商品が多いので、これらを一元に管理する技術が求められていた。そこで、商品の情報が記録され、その商品に取り付けられるＲＦＩＤタグと、陳列棚に取り付けられ、上記の情報をＲＦＩＤタグから読み出す読出装置と、この読出装置により読み出された情報を一括で管理する管理コンピュータとを備えたシステムが知られている（例えば、特許文献１参照）。
【０００３】
ところで、店舗では、ショーウィンドウやショーケース、陳列棚等に置かれた商品を照らすため、照明光が照明器具から商品に照射される。この照明光の照射は、単なる照明だけでなく、商品の演出を目的としてなされることがある。演出目的で照明光を商品に照射する場合、個々の商品に合った最適な光を商品に照射する必要がある。従来では、このような照明光を出射させるため、店員等が照明器具を手作業で操作し、照明設定を調整していた。演出目的の照明設定は、商品に応じて異なり、また細かな操作が必要とされるため、照明光の調整作業は、煩わしいものとなっていた。また、作業を行なう店員の感性や設定技量に応じて、照明設定が異なり、商品の見栄えに差異が生じることがあった。従って、大型衣料品チェーン等においては、同じ商品に対する照明設定が店舗ごとに違い、この設定を統一することが困難であった。すなわち、同じ商品に対して、同じ照明効果を得ることができなかった。しかしながら、上記特許文献１の技術は、照明設定のための技術ではないため、この問題を解決することができなかった。
【特許文献１】特開２００５−３１２５７６号公報
【発明の開示】
【発明が解決しようとする課題】
【０００４】
本発明は、上記の従来の問題を解決するためになされたものであり、照明光の煩わしい調整作業が不要となり、作業者に拘らず、同じ商品に対して同じ照明効果を得ることができる照明システムを提供することを目的とする。
【課題を解決するための手段】
【０００５】
上記目的を達成するために請求項１の発明は、照明器具と、前記照明器具を制御する制御手段とを備えた照明システムにおいて、商品に取り付けられ、該商品の色情報及び／又は素材情報が予め記録された情報タグと、前記情報タグに記録された色情報及び／又は素材情報を検知する検知手段と、前記検知手段により検知された色情報及び／又は素材情報を前記制御手段に送信する送信手段と、を備え、前記制御手段は、前記送信手段から送信された色情報及び／又は素材情報を受信し、受信した色情報及び／又は素材情報に基づき、前記照明器具の光色乃至配光を制御するための制御信号を生成する演算手段と、前記制御信号に従い、前記照明器具の光色乃至配光を変更させる光色乃至配光変更手段と、を有するものである。
【０００６】
請求項２の発明は、請求項１に記載の照明システムにおいて、前記検知手段は、前記照明器具と分離して設けられているものである。
【０００７】
請求項３の発明は、請求項１又は請求項２に記載の照明システムにおいて、前記情報タグは、ＩＣタグであるものである。
【０００８】
請求項４の発明は、請求項１乃至請求項３のいずれか一項に記載の照明システムにおいて、前記光色乃至配光変更手段は、異種の複数の光源を含むものである。
【０００９】
請求項５の発明は、請求項４に記載の照明システムにおいて、前記光色乃至配光変更手段は、赤色発光ダイオード、緑色発光ダイオード及び青色発光ダイオードを含むものである。
【００１０】
請求項６の発明は、請求項１乃至請求項５のいずれか一項に記載の照明システムにおいて、前記光色乃至配光変更手段は、形状可変の反射板を含むものである。
【００１１】
請求項７の発明は、請求項１乃至請求項５のいずれか一項に記載の照明システムにおいて、前記光色乃至配光変更手段は、前記照明器具に設けられた反射板と光源の位置関係を変更させることにより、前記照明器具の配光を変更させるものである。
【発明の効果】
【００１２】
請求項１の発明によれば、検知手段に情報タグから色情報及び／又は素材情報を検知させるだけで、商品に合わせた照明光の調整が可能になる。このため、照明光の煩わしい調整作業が不要となる。また、同じ商品に、同じ色情報及び／又は素材情報が記録された情報タグを取り付けることにより、作業者に拘らず、同じ商品に対して同じ照明効果を得ることができる。
【００１３】
請求項２の発明によれば、照明器具は一般に所定の場所に固定されるので、持ち運び可能な機器に検知手段を設けることができる。従って、検知手段に情報タグから色情報及び／又は素材情報を検知させるときの利便性を確保することができる。
【００１４】
請求項３の発明によれば、ＩＣタグは記憶容量が大きいので、多くの情報をＩＣタグに記憶させることができる。従って、商品の詳細な色情報及び／又は素材情報を情報タグに記憶させることができる。このため、詳細な色情報及び／又は素材情報に基づき、照明器具の光色及び／又は配光を精細に制御することができる。
【００１５】
請求項４の発明によれば、異種の複数種の光源として、光色の異なる光源を用いた場合、それらの光量をそれぞれ制御することにより、複数色の合成光を照明光として出射することができるので、商品に最適な光色の照明光を照射することが可能となる。
【００１６】
請求項５の発明によれば、赤色発光ダイオード、緑色発光ダイオード及び青色発光ダイオードを用いて全色の光を照明光として出射することができる。このため、商品に最適な光色の光を商品に照射することが可能となる。
【００１７】
請求項６の発明によれば、反射板の形状変化に応じて光の反射方向が変化するので、照明光の配光を変更させることができる。
【００１８】
請求項７の発明によれば、反射板と光源の位置関係の変更に応じて光路が変更されるので、照明光の配光を変更させることができる。
【発明を実施するための最良の形態】
【００１９】
以下、本発明の各種実施形態に係る照明システムについて図面を参照して説明する。
（第１の実施形態）
図１（ａ）（ｂ）及び図２は、第１の実施形態に係る照明システム１の構成、及び店舗における照明システム１の適用例を示す。この照明システム１は、例えば、衣料品店に適用される。この照明システム１は、光源２１及び形状変更可能な反射板２２が設けられた照明器具２と、商品Ｇに取り付けられ、商品Ｇの色情報及び素材情報（以下、色・素材情報という）が予め記録された情報タグ３と、照明器具２の照明設定を調整する店員Ａ等により操作され、情報タグ３から色・素材情報を読み出す設定リモコン４と、を備える。商品Ｇは、例えば衣服である。設定リモコン４は、情報タグ３に記録された色・素材情報を検知するタグ情報検知部４１（検知手段）と、タグ情報検知部４１により検知された色・素材情報を照明器具２に送信する情報送信部４２（送信手段）と、を備える。
【００２０】
照明器具２は、設定リモコン４の情報送信部４２から送信された色・素材情報を受信する情報受信部２３と、情報受信部２３により受信された色・素材情報に基づき、光源２１の光色及び配光を制御するための制御信号を生成する演算制御部２４と、演算制御部２４からの制御信号に従い、光源２１の光色を変更するように光源２１を点灯制御する点灯制御部２５と、演算制御部２４からの制御信号に従って反射板２２の形状変更させるように駆動し、照明器具２の配光を変更させる駆動部２６と、を備える。上記位置関係を変更により、照明器具２の配光が変更される。情報受信部２３及び演算制御部２４は、演算手段を構成する。また、光源２１、点灯制御部２５、駆動部２６は、光色乃至配光変更手段を構成する。また、光源２１、情報受信部２３、演算制御部２４、点灯制御部２５及び駆動部２６は、制御手段を構成する。以下、照明システム１（情報タグ３、設定リモコン４、照明器具２）の構成を詳細に説明する。
【００２１】
まず、情報タグ３の構成を説明する。情報タグ３は、ＩＣタグ、又はバーコード、２次元バーコード（ＱＲコード）若しくは磁気インクパターンが印刷されたタグ等により構成されるが、ＩＣタグであることが望ましい。ＩＣタグは記憶容量が大きいので、多くの情報をＩＣタグに記憶させることができる。従って、商品Ｇの詳細な色・素材情報を情報タグ３に記憶させることができる。このため、詳細な色・素材情報に基づき、照明器具２の光色及び配光を精細に制御することができる。
【００２２】
上記のＩＣタグは、ＲＦ−ＩＤタグとも呼ばれ、情報が記録されたＩＣチップを樹脂シート等により封止して形成されている。ＩＣタグの駆動方式は、アクティブ式又はパッシブ式のいずれでも構わないが、パッシブ方式であることが望ましい。このパッシブ方式においては、ＩＣタグが、リーダのアンテナからの電波を反射し、この反射波に乗せて色・素材情報をリーダに送る。従って、ＩＣタグ内に電源が不要なので、ＩＣタグに電源が内蔵されるアクティブ方式と比べ、安価にＩＣタグを製造することができる。また、電池切れの心配がない。情報タグ３の商品Ｇへの取り付け形態には、値札のように紐等により商品Ｇに取り付ける形態や、不図示であるが素材表示タグのように商品Ｇに縫い付ける形態等が含まれる。
【００２３】
情報タグ３には、商品Ｇの色・素材情報が予め記録されている。色情報と素材情報の両方が情報タグ３に格納されていても、若しくはそれらのうち一方のみが格納されていてもよい。色情報は、商品Ｇの代表色を数値化したものである。この数値化は、既知の色座標を用いてなされる。商品Ｇの色が単色である場合、その色が商品Ｇの代表色となる。また、基調色とは異なる色の細かな柄が連続して商品Ｇにプリントされている場合、それぞれの色を数値化し、これらの数値にそれぞれの面積を乗じ、さらにそれらの総和を全面積で除して得られた平均値が色情報となる。また、商品Ｇに大きなワンポイントプリントがなされている場合、基調色とワンポイントの色の二色が代表色となる。さらに、商品Ｇがストライプ柄等で、色の対比が強調されたものである場合、ストライプ柄等を形成する二色が代表色となる。一方、素材情報は、商品Ｇの材質、光沢、反射率等を数値化したものである。
【００２４】
次に、設定リモコン４の構成を説明する。タグ情報検知部４１は、ＩＣタグリーダ、バーコードリーダ、２次元バーコード又は磁気識別センサ等により構成されるが、ＩＣタグリーダが望ましい。情報タグ３がＩＣタグにより構成され、そのＩＣタグの駆動方式がパッシブ式である場合、上記のＩＣタグリーダには、電波を輻射するアンテナが搭載されており、この電波により、駆動のための電源がＩＣタグに供給される。ＩＣタグとＩＣタグリーダとの通信方式は、電磁誘導方式と電波式のいずれでもよい。タグ情報検知部４１は、情報タグ３と接触したとき、又は情報タグ３と近接したとき、情報タグ３から色・素材情報を検知し、それを読み出し、情報送信部４２に送出する。
【００２５】
情報送信部４２は、赤外線、電波又は可視光レーザ等を用いて情報を送出する送信回路により構成されている。この送信回路は、タグ情報検知部４１により情報タグ３から読み出された色・素材情報を照明器具２に送出する。照明器具２との間の通信は、赤外線を用いた通信が望ましい。赤外線通信の場合、送信回路の構成を簡素なものにすることができるので、設定リモコン４のコスト抑制、強いては照明システム１のコスト低減を図ることができる。また、情報送信部４２は、照明システム１に複数台の照明器具２が設けられている場合、複数台の照明器具２と通信可能とするため、通信チャンネルを切り替え可能に構成される。
【００２６】
設定リモコン４の上記構成においては、タグ情報検知部４１が、所定の場所に固定される照明器具２と分離して、持ち運び可能な設定リモコン４内に設置されている。従って、設定リモコン４に情報タグ３から色・素材情報を検知させるときの利便性を確保することができる。
【００２７】
次に、照明器具２の構成を説明する。光源２１は、異種の複数の光源により構成されている。このため、異種の複数種の光源として、光色の異なる光源を用いた場合、それらの光量をそれぞれ制御することにより、複数色の合成光を照明光として出射することができる。従って、商品Ｇに最適な光色の照明光を照射することが可能となる。
【００２８】
具体的には、光源２１は、赤色発光ダイオード、緑色発光ダイオード及び青色発光ダイオードにより構成されている。以下、発光ダイオードをＬＥＤと称す。上記の光源２１は、店舗内のショーウィンドウ等において、例えば天井や壁上部等に設置されている。このため、赤色ＬＥＤ、緑色ＬＥＤ及び青色ＬＥＤを用いて全色の光を照明光として出射することができる。従って、商品Ｇに最適な光色の光を商品に照射することが可能となる。
【００２９】
反射板２２は、光源２１の放射光を、光源２１前方に反射するように形成されている。反射板２２の詳細な構成については後述する。情報受信部２３は、赤外線、電波又は可視光レーザ等を受信し、それらに重畳された情報を抽出する受信回路により構成されている。この受信回路は、設定リモコン４の情報送信部４２からの色・素材情報を受信する。設定リモコン４との間の通信は、赤外線を用いた通信が望ましい。赤外線通信の場合、受信回路の構成を簡素なものにすることができるので、照明器具２のコスト抑制、強いては照明システム１のコスト低減を図ることができる。情報受信部２３は、設定リモコン４からの色・素材情報を演算制御部２４に送出する。
【００３０】
演算制御部２４は、ＣＰＵを搭載したマイクロコンピュータにより構成されている。このマイクロコンピュータは、情報受信部２３から送出された色・素材情報に基づき、光源２１の光色及び配光を制御する。この制御の際、演算制御部２４は、商品Ｇに照明光の最適な光色及び配光が演算により求められる。最適な光色を求めるための演算においては、商品Ｇの代表色を強調する光色が最適なものとして算出される。例えば、商品Ｇの代表色が赤である場合、商品Ｇの反射スペクトルは図３に示される分布となるので、スペクトルが立ち上がって変化する略６００ｎｍ付近の波長成分がカットされた光が、商品Ｇに最適な光色として算出される。この光色の照明光は赤をより強調する。また、最適な配光を求めるための演算においては、例えば商品Ｇを演出するのに最適な指向性が算出される。例えば、商品Ｇの表面に正反射成分の多い艶がある場合、艶がより強調されるように照明光の指向性が強くされた配光が商品Ｇに最適な配光として算出される。
【００３１】
また、演算制御部２４は、演算により求められた光色に応じて、光源２１すなわち赤色ＬＥＤ、緑色ＬＥＤ及び青色ＬＥＤのそれぞれの最適な光量を示す制御信号を点灯制御部２５に送出する。また、演算制御部２４は、演算により求められた配光に応じて、反射板２２の最適な形状変化量を示す制御信号を駆動部２６に送出する。
【００３２】
点灯制御部２５は、点灯制御回路により構成されており、この点灯制御回路は、演算制御部２４からの制御信号に応じて駆動する。点灯制御部２５は、上記の制御信号に基づき、光源２１すなわち赤色ＬＥＤ、緑色ＬＥＤ及び青色ＬＥＤに対して光量制御を行なう。駆動部２６は、演算制御部２４からの制御信号に応じて、反射板２２の形状を変更させるように構成されている。駆動部２６の詳細な構成については後述する。
【００３３】
次に、照明システム１の光色及び配光変更動作を説明する。ここで、照明システム１が店舗のショーウィンドウＷに適用されているとする。上記動作は、商品Ｇに取り付けられた情報タグ３と、設定リモコン４のタグ情報検知部４１との接触又は近接をトリガとする。この接触又は近接は、商品Ｇの展示の際に、店員Ａ等により行なわれる。上記の接触又は近接に基づき、タグ情報検知部４１は、情報タグ３から色・素材情報を検知する。設定リモコン４の情報送信部４２は、検知された色・素材情報を照明器具２の情報受信部２３に送信する。演算制御部２４は、情報受信部２３により受信された色・素材情報に基づき、商品Ｇに最適な光色及び配光を算出する。また、演算制御部２４は、算出結果に基づいて制御信号を生成し、その制御信号を点灯制御部２５及び駆動部２６に送信する。点灯制御部２５は、演算制御部２４からの制御信号に応じて光源２１を点灯制御することにより、照明光の光色を変更する。駆動部２６は、演算制御部２４からの制御信号に応じて反射板２２を変形させることにより、照明光の配光を変更する。
【００３４】
上記のように、設定リモコン４のタグ情報検知部４１が情報タグ３から商品Ｇの色・素材情報を検知し、点灯制御部２５及び駆動部２６が、検知された色情報及び／又は素材情報に基づいて照明光の光色及び配光を自動的に変更させるので、設定リモコン４に情報タグ３から色・素材情報を検知させるだけで、商品Ｇに合わせた照明光の調整が可能となる。このため、照明光の煩わしい調整作業が不要となる。また、点灯制御部２５及び駆動部２６は、色・素材情報に基づいて照明光の光色及び配光を自動的に変更させるので、同じ商品Ｇに、同じ色・素材情報が記録された情報タグ３を取り付けることにより、作業者の技量に拘らず、同じ商品Ｇに対して常に同じ照明効果を得ることができる。
【００３５】
図４は、反射板２２及び駆動部２６の構成を示す。反射板２２は、例えば、断面視で樋状であり、その略中央部に穴が設けられている。この穴に光源２１が差し込まれている。また、反射板２２には、ヒンジ部２２ａが設けられており、反射板２２の一部がこのヒンジ部２２ａにより回動自在に支持されている。以下、この回動して変位する部分を可動部２２ｂという。
【００３６】
駆動部２６は、本体部２６ａと、この本体部２６ａに出し入れされて反射板２２の可動部２２ｂを押し引きする押し引き部２６ｂとにより構成されている。反射板２２の可動部２２ｂは、外側がこの押し引き部２６ｂの先端と当接するように、例えば付勢部材により外側へ向けて付勢されている。本体部２６ａ内には、駆動モータが設けられており、押し引き部２６ｂは、この駆動モータの回転力を駆動力として本体部２６ａから出し入れされる。
【００３７】
次に、駆動部２６の配光変更動作を説明する。まず、本体部２６ａ内の駆動モータが、演算制御部２４からの制御信号に応じて回転する。この回転に基づいて押し引き部２６ｂの押し引き量が変化する。反射板２２の可動部２２ｂは、上記の押し引き量の変化に応じ、ヒンジ部２２ａを軸として回動する。これに伴って反射板２２の形状が変化し、この形状変化に応じて光源２１の放射光のうち一部の光の反射方向が変わる。その結果、照明光の配光が変更される。
【００３８】
図５は、駆動部２６の変形例を示す。本変形例に係る駆動部２６の構成は、図４に示される駆動部２６と比べ、軸２６ｃにより回動自在に軸支され、押し引き部２６の先端部が固定された回動部材２６ｄをさらに備える点で異なる。回動部材２６ｄは、断面視で、軸２６ｃから外周までの距離が異なる。押し引き部２６ｂの先端部は、この回動部材２６ｄの一端に回動自在に固定されている。押し引き部２６の押し引き動作に伴い、回動部材２６ｄは軸２６ｃを中心として回動する。反射板２２の可動部２２ｂは、不図示の付勢手段により回動部材２６ｄ側に付勢されており、回動部材２６ｄの回動に伴い、回動部材２６ｄの外周形状に沿って変位する。この変位により、反射板２２の形状は変化し、照明光の配光が変更される。
【００３９】
（第２の実施形態）
図６は、本発明の第２の実施形態に係る照明システムにおける照明器具２の駆動部２６の構成を示す。駆動部２６は、モータ２６ｆと、モータ２６ｆの回転軸の先端部に固定された回転部材２６ｇとにより構成されている。この回転部材２６ｇの外周には、回転軸方向に延びる螺旋状の溝が形成されている。本実施形態においては、光源２１を保持する保持部材２１ａに、照明光の出射方向と平行に延びる螺旋状の溝が設けられている。この螺旋状の溝の延伸方向は、上記の回転軸方向と平行である。回転部材２６ｇと保持部材２１ａとは当接しており、それらの溝が互いに噛み合うように配置されている。
【００４０】
上記構成において、モータ２６ｆは、演算制御部２４からの制御信号に応じて回転駆動する。回転部材２６ｇはモータ２６ｆの駆動力に基づいて回転する。このとき、保持部材２１ａは、この回転部材２６ｇの回転に基づいて回転すると共に、回転軸方向に移動する。この移動により、光源２１と反射板２２との位置関係が変更される。この位置関係の変更に応じて光路が変更されるので、照明光の配光を変更させることができる。このようにして、照明光の配光を商品Ｇに最適なものとすることができる。
【００４１】
（第３の実施形態）
図７は、第３の実施形態に係る照明システム１の照明器具２の構成を示す。本実施形態に係る照明器具２の構成は、第１又は第２の実施形態に係る照明器具２と比べ、反射板２２の照明光出射用の開口を塞ぐように配置された液晶フィルタ２７と、この液晶フィルタ２７を駆動するための液晶駆動部２８とを備える。液晶フィルタ２７は、例えば、電圧制御により拡散性が制御される。液晶駆動部２８は、演算制御部２４からの制御信号に応じて動作する液晶駆動回路により構成されている。この液晶駆動回路は、上記制御信号に応じて、液晶フィルタ２７に印加する電圧の値を制御する。この電圧制御により、液晶フィルタ２７の拡散性が制御され、さらに照明光の指向性が制御される。その結果、照明光の配光が変更される。このようにして、液晶フィルタ２７及び液晶駆動部２８は、制御手段及び光色乃至配光変更手段を構成する。
【００４２】
図８（ａ）（ｂ）は、液晶フィルタ２７の動作例を示す。同図（ａ）に示されるように、通常は、光源２１からの光を全て透過するように、液晶フィルタ２７の液晶分子は配列されている。配光を変更する場合、同図（ｂ）に示されるように、例えば、液晶駆動部２８による制御に基づき、液晶フィルタ２７の上部において液晶分子の配列が変更される。この変更により、その上部においては光源２１の光が遮られる。このため、照明光の配光が変更される。このように、液晶分子の配列の変更と、その変更場所とを制御することにより、商品Ｇに合った照明光の配光が可能となる。
【００４３】
なお、本発明は、上記の実施形態の構成に限定されるものでなく、使用目的に応じ、様々な変形が可能である。例えば、光源２１は、ＬＥＤに限定されず、白熱電球や蛍光灯、ハロゲンランプ等であってもよい。また、ＩＣタグ３には、商品Ｇの色情報と素材情報の両方ではなく、いずれか一方のみ記録されていても構わない。また、照明器具２において、配光制御と光色制御の両方ではなく、いずれか一方だけが行なわれてもよい。また、照明器具２内に、所定の透過スペクトルを有する複数枚のフィルタを設け、点灯制御部２５がその中から１枚を選択して光源２１の前に配置することにより、照明光の光色が制御されても構わない。また、光源２１の光色は、演算制御部２４にて求められた最適な光色に厳密に合致させる必要は無く、制御な可能な光色の中で最適な光色に最も近いスペクトルになるよう制御されればよい。また、演算制御部２４は、色・素材情報と照明光の光色乃至配光との対応関係を示すテーブルを参照して求めてもよい。このテーブルを用いる場合、テーブルはマイクロコンピュータ内又はその外に設けられたメモリに格納される。また、光源２１の前方にレンズを配置し、このレンズと光源２１の位置関係を変更することにより、照明光の配光が制御されても構わない。
【図面の簡単な説明】
【００４４】
【図１】（ａ）は本発明の第１の実施形態に係る照明システムの構成図、（ｂ）は店舗における同照明システムの適用例を示す斜視図。
【図２】上記照明システムの電気的構成図。
【図３】商品の反射スペクトル分布の一例を示す図。
【図４】上記照明システムにおける照明器具の反射板及び駆動部の構成を示す断面図。
【図５】上記駆動部の変形例を示す断面図。
【図６】本発明の第２の実施形態に係る照明システムにおける照明器具の駆動部の構成を示す断面図。
【図７】本発明の第３の実施形態に係る照明システムにおける照明器具の電気的構成図。
【図８】（ａ）は上記照明器具の液晶フィルタの動作例を示す断面図、（ｂ）は同フィルタの他の動作例を示す断面図。
【符号の説明】
【００４５】
１  照明システム
２  照明器具
２１  光源（光色乃至配光制御手段、制御手段）
２２  反射板（光色乃至配光制御手段、制御手段）
２３  情報受信部（演算手段、制御手段）
２４  演算制御部（演算手段、制御手段）
２５  点灯制御部（光色乃至配光制御手段、制御手段）
２６  駆動部（光色乃至配光制御手段、制御手段）
２７  液晶フィルタ（光色乃至配光制御手段、制御手段）
２８  液晶駆動部（光色乃至配光制御手段、制御手段）
３  情報タグ
４  設定リモコン
４１  タグ情報検知部（検知手段）
４２  情報送信部（送信手段）
【図１】
2008270089.tif 000003
【図２】
2008270089.tif 000004
【図３】
2008270089.tif 000005
【図４】
2008270089.tif 000006
【図５】
2008270089.tif 000007
【図６】
2008270089.tif 000008
【図７】
2008270089.tif 000009
【図８】
2008270089.tif 000010